【手続補正書】
【提出日】平成15年5月9日(2003.5.9)
【手続補正１】
【補正対象書類名】明細書
【補正対象項目名】特許請求の範囲
【補正方法】変更
【補正の内容】
【特許請求の範囲】
【請求項１】
所定の制御情報およびムービービデオオブジェクトと静止画ビデオオブジェクトを記録できる光ディスクにおいて、
前記光ディスクは前記ムービービデオオブジェクトと１以上の静止画で構成される前記静止画ビデオオブジェクトのグループと所定の付加オーディオ情報を記録するように構成され、
前記静止画ビデオオブジェクト内には副映像情報を含む副映像ストリームが記録可能に構成され、
前記制御情報が前記ビデオオブジェクト個々に関する情報を示すムービーＡＶファイル情報テーブルと静止画ＡＶファイル情報テーブルを含み、
前記ムービーＡＶファイル情報テーブルがムービービデオオブジェクト情報を含み、かつ、前記静止画ＡＶファイル情報テーブルが前記静止画ビデオオブジェクトを管理する静止画ＡＶファイル情報を含むとともに静止画付加オーディオファイル情報を含み、
前記ムービービデオオブジェクト情報がタイムマップ情報を含み、かつ、前記静止画ＡＶファイル情報が前記静止画ビデオオブジェクトのグループ情報を含むとともに前記静止画付加オーディオファイル情報が静止画用付加オーディオグループ情報を含み、
前記タイムマップ情報が前記ムービービデオオブジェクトのビデオオブジェクトユニットエントリ情報を含み、かつ、前記静止画ビデオオブジェクトのグループ情報が前記静止画ビデオオブジェクトのエントリ情報を含むとともに前記静止画用付加オーディオグループ情報が付加オーディオエントリ情報を含み、
前記静止画ビデオオブジェクトのエントリ情報には４種類のタイプがあり、
前記静止画ビデオオブジェクトのエントリ情報が前記静止画ビデオオブジェクトのエントリタイプ情報を含むように構成され、このエントリタイプ情報内は前記４種類のタイプのいずれに属するかを示すマップタイプ情報と前記副映像ストリームの数を記述する副映像ストリーム情報をさらに含むように構成され、
前記マップタイプ情報は所定の情報内容をもち、
前記ビデオオブジェクトユニットエントリ情報がビデオオブジェクトユニットの再生時間情報を含み、かつ、前記静止画ビデオオブジェクトのエントリ情報が該当する静止画ビデオオブジェクトに元々付随しているオーディオの再生時間情報を含むとともに、前記付加オーディオエントリ情報が付加オーディオ情報の再生時間情報を含むように構成され、
前記静止画ビデオオブジェクトのエントリ情報が、更に、前記付加オーディオ情報のグループ番号を示す付加オーディオグループ番号情報と前記付加オーディオ情報のエントリ番号を示す付加オーディオエントリ番号情報を含むように構成され、
前記ビデオオブジェクトユニットエントリ情報内の前記ビデオオブジェクトユニットの再生時間情報と前記静止画ビデオオブジェクトのエントリ情報内の前記再生時間情報と前記付加オーディオエントリ情報内の前記再生時間情報が、ビデオフィールド単位で表されるように構成されたことを特徴とする光ディスク。
【請求項２】
所定の制御情報およびムービービデオオブジェクトと静止画ビデオオブジェクトを記録できる光ディスクであり、この光ディスクは前記ムービービデオオブジェクトと１以上の静止画で構成される前記静止画ビデオオブジェクトのグループと所定の付加オーディオ情報を記録するように構成され、前記静止画ビデオオブジェクト内には副映像情報を含む副映像ストリームが記録可能に構成され、前記制御情報が前記ビデオオブジェクト個々に関する情報を示すムービーＡＶファイル情報テーブルと静止画ＡＶファイル情報テーブルを含み、前記ムービーＡＶファイル情報テーブルがムービービデオオブジェクト情報を含み、かつ、前記静止画ＡＶファイル情報テーブルが前記静止画ビデオオブジェクトを管理する静止画ＡＶファイル情報を含むとともに静止画付加オーディオファイル情報を含み、前記ムービービデオオブジェクト情報がタイムマップ情報を含み、かつ、前記静止画ＡＶファイル情報が前記静止画ビデオオブジェクトのグループ情報を含むとともに前記静止画付加オーディオファイル情報が静止画用付加オーディオグループ情報を含み、前記タイムマップ情報が前記ムービービデオオブジェクトのビデオオブジェクトユニットエントリ情報を含み、かつ、前記静止画ビデオオブジェクトのグループ情報が前記静止画ビデオオブジェクトのエントリ情報を含むとともに前記静止画用付加オーディオグループ情報が付加オーディオエントリ情報を含み、前記静止画ビデオオブジェクトのエントリ情報には４種類のタイプがあり、前記静止画ビデオオブジェクトのエントリ情報が前記静止画ビデオオブジェクトのエントリタイプ情報を含むように構成され、このエントリタイプ情報内は前記４種類のタイプのいずれに属するかを示すマップタイプ情報と前記副映像ストリームの数を記述する副映像ストリーム情報をさらに含むように構成され、前記マップタイプ情報は所定の情報内容をもち、前記ビデオオブジェクトユニットエントリ情報がビデオオブジェクトユニットの再生時間情報を含み、かつ、前記静止画ビデオオブジェクトのエントリ情報が該当する静止画ビデオオブジェクトに元々付随しているオーディオの再生時間情報を含むとともに前記付加オーディオエントリ情報が付加オーディオ情報の再生時間情報を含むように構成され、前記静止画ビデオオブジェクトのエントリ情報が、更に、前記付加オーディオ情報のグループ番号を示す付加オーディオグループ番号情報と前記付加オーディオ情報のエントリ番号を示す付加オーディオエントリ番号情報を含むように構成され、前記ビデオオブジェクトユニットエントリ情報内の前記ビデオオブジェクトユニットの再生時間情報と前記静止画ビデオオブジェクトのエントリ情報内の前記再生時間情報と前記付加オーディオエントリ情報内の前記再生時間情報がビデオフィールド単位で表されるように構成された光ディスクに対して情報記録を行う記録方法であって、
前記光ディスクに前記静止画データを記録し、
前記制御情報内に、前記副映像ストリーム情報を含む前記エントリ情報を記録することを特徴とする記録方法。
【請求項３】
所定の制御情報およびムービービデオオブジェクトと静止画ビデオオブジェクトが記録される光ディスクであり、この光ディスクは前記ムービービデオオブジェクトと１以上の静止画で構成される前記静止画ビデオオブジェクトのグループと所定の付加オーディオ情報を記録するように構成され、前記静止画ビデオオブジェクト内には副映像情報を含む副映像ストリームが記録可能に構成され、前記制御情報が前記ビデオオブジェクト個々に関する情報を示すムービーＡＶファイル情報テーブルと静止画ＡＶファイル情報テーブルを含み、前記ムービーＡＶファイル情報テーブルがムービービデオオブジェクト情報を含み、かつ、前記静止画ＡＶファイル情報テーブルが前記静止画ビデオオブジェクトを管理する静止画ＡＶファイル情報を含むとともに静止画付加オーディオファイル情報を含み、前記ムービービデオオブジェクト情報がタイムマップ情報を含み、かつ、前記静止画ＡＶファイル情報が前記静止画ビデオオブジェクトのグループ情報を含むとともに前記静止画付加オーディオファイル情報が静止画用付加オーディオグループ情報を含み、前記タイムマップ情報が前記ムービービデオオブジェクトのビデオオブジェクトユニットエントリ情報を含み、かつ、前記静止画ビデオオブジェクトのグループ情報が前記静止画ビデオオブジェクトのエントリ情報を含むとともに前記静止画用付加オーディオグループ情報が付加オーディオエントリ情報を含み、前記静止画ビデオオブジェクトのエントリ情報には４種類のタイプがあり、前記静止画ビデオオブジェクトのエントリ情報が前記静止画ビデオオブジェクトのエントリタイプ情報を含むように構成され、このエントリタイプ情報内は前記４種類のタイプのいずれに属するかを示すマップタイプ情報と前記副映像ストリームの数を記述する副映像ストリーム情報をさらに含むように構成され、前記マップタイプ情報は所定の情報内容をもち、前記ビデオオブジェクトユニットエントリ情報がビデオオブジェクトユニットの再生時間情報を含み、かつ、前記静止画ビデオオブジェクトのエントリ情報が該当する静止画ビデオオブジェクトに元々付随しているオーディオの再生時間情報を含むとともに前記付加オーディオエントリ情報が付加オーディオ情報の再生時間情報を含むように構成され、前記静止画ビデオオブジェクトのエントリ情報が、更に、前記付加オーディオ情報のグループ番号を示す付加オーディオグループ番号情報と前記付加オーディオ情報のエントリ番号を示す付加オーディオエントリ番号情報を含むように構成され、前記ビデオオブジェクトユニットエントリ情報内の前記ビデオオブジェクトユニットの再生時間情報と前記静止画ビデオオブジェクトのエントリ情報内の前記再生時間情報と前記付加オーディオエントリ情報内の前記再生時間情報がビデオフィールド単位で表されるように構成された光ディスクから情報再生を行う再生方法であって、
前記副映像ストリーム情報を含む前記エントリ情報が記録された前記制御情報を再生し、そして
前記静止画データを再生することを特徴とする再生方法。
【請求項４】
所定の制御情報およびムービービデオオブジェクトと静止画ビデオオブジェクトが記録される光ディスクであり、この光ディスクは前記ムービービデオオブジェクトと１以上の静止画で構成される前記静止画ビデオオブジェクトのグループと所定の付加オーディオ情報を記録するように構成され、前記静止画ビデオオブジェクト内には副映像情報を含む副映像ストリームが記録可能に構成され、前記制御情報が前記ビデオオブジェクト個々に関する情報を示すムービーＡＶファイル情報テーブルと静止画ＡＶファイル情報テーブルを含み、前記ムービーＡＶファイル情報テーブルがムービービデオオブジェクト情報を含み、かつ、前記静止画ＡＶファイル情報テーブルが前記静止画ビデオオブジェクトを管理する静止画ＡＶファイル情報を含むとともに静止画付加オーディオファイル情報を含み、前記ムービービデオオブジェクト情報がタイムマップ情報を含み、かつ、前記静止画ＡＶファイル情報が前記静止画ビデオオブジェクトのグループ情報を含むとともに前記静止画付加オーディオファイル情報が静止画用付加オーディオグループ情報を含み、前記タイムマップ情報が前記ムービービデオオブジェクトのビデオオブジェクトユニットエントリ情報を含み、かつ、前記静止画ビデオオブジェクトのグループ情報が前記静止画ビデオオブジェクトのエントリ情報を含むとともに前記静止画用付加オーディオグループ情報が付加オーディオエントリ情報を含み、前記静止画ビデオオブジェクトのエントリ情報には４種類のタイプがあり、前記静止画ビデオオブジェクトのエントリ情報が前記静止画ビデオオブジェクトのエントリタイプ情報を含むように構成され、このエントリタイプ情報内は前記４種類のタイプのいずれに属するかを示すマップタイプ情報と前記副映像ストリームの数を記述する副映像ストリーム情報をさらに含むように構成され、前記マップタイプ情報は所定の情報内容をもち、前記ビデオオブジェクトユニットエントリ情報がビデオオブジェクトユニットの再生時間情報を含み、かつ、前記静止画ビデオオブジェクトのエントリ情報が該当する静止画ビデオオブジェクトに元々付随しているオーディオの再生時間情報を含むとともに前記付加オーディオエントリ情報が付加オーディオ情報の再生時間情報を含むように構成され、前記静止画ビデオオブジェクトのエントリ情報が、更に、前記付加オーディオ情報のグループ番号を示す付加オーディオグループ番号情報と前記付加オーディオ情報のエントリ番号を示す付加オーディオエントリ番号情報を含むように構成され、前記ビデオオブジェクトユニットエントリ情報内の前記ビデオオブジェクトユニットの再生時間情報と前記静止画ビデオオブジェクトのエントリ情報内の前記再生時間情報と前記付加オーディオエントリ情報内の前記再生時間情報がビデオフィールド単位で表されるように構成された光ディスクから情報再生を行う再生装置であって、
前記副映像ストリーム情報を含む前記エントリ情報および前記静止画データを再生する手段を具備し、
再生した前記エントリ情報の中から前記付加オーディオグループ番号情報、付加オーディオエントリ番号情報および副映像ストリーム情報を取り出し、取り出した前記付加オーディオグループ番号情報、付加オーディオエントリ番号情報および副映像ストリーム情報に基づいて、前記付加オーディオ情報および副映像ストリームを再生するように構成されたことを特徴とする再生装置。